(57)【要約】      （修正有）【課題】一枚の段ボールシートに十字状中仕切を含め、苺パックを安定して支持できる歩留まりの良い苺パック収納用トレーを提供する。【解決手段】十字状中仕切を備え４個の苺パックを底面から浮かせて支持する段ボール製の苺パック収納用トレーであって、一枚の段ボールに、二重壁の左右側壁２Ａと、これに挿嵌される差込片が連設された前後側壁３Ａとが、底面１の四辺に対向して連設され、十字状中仕切２０は、底面から切り起こした横仕切２２Ａに縦仕切２１Ａを係止している。苺パックの支持は、一箇所はフランジの短縁とし、左右側壁の内壁片の両端に連設された支持片２ｃを前後側壁の内側へ折り曲げて立設したものとし、他の箇所は、該短縁と対向した短縁と隅縁で、十字状中仕切の横仕切２２Ａと、左右側壁の中央に内側へ切り出して形成した掛架部５とした。【選択図】図１
0003215851.tif 000002
【実用新案登録請求の範囲】
【請求項１】
十字状中仕切を挿嵌して、４個の苺パックを上端部に形成されているフランジを支持して底面から浮かせて収納できるようにした段ボール製の収納用トレーにおいて、該収納用トレーは、一枚の段ボールに、内壁と外壁の二重壁を形成する二重折り目を設けた左右側壁片と、該内壁と外壁の間隙に挿嵌させる差込片が連設された前後側壁片とが、底面の四辺に対向して連設され、これを折り上げて組み立てられ、該十字状中仕切は、底面から切り起こした平行な２個の横仕切片に縦仕切片を係止したものであり、該苺パックの支持はその一箇所は、該フランジの短縁とし、該左右側壁片の内壁を形成する片の両端に連設された支持片を前後側壁の内側へ折り曲げて、下端から上端に向かって内側へ漸次傾斜させて立設したものとし、他の箇所は、該短縁と対向した短縁と隅縁で、該十字状中仕切の横仕切と、左右側壁の中央に内壁の一部を内側へ切り出して形成した掛架部であり、該掛架部は、苺パックの左右側壁方向の移動を規制する係止部を挟んで２個設け、該係止部は、外壁の頂部から鋭角に傾斜して張り出して形成したことを特徴とする苺パック収納用トレー。
【請求項２】
十字状中仕切は、前記横仕切を底面から切り起こしたものに代えて、収納用トレーのブランクから切り出したものとし、横仕切片に設けた係止溝を縦仕切片に設けた係止溝に嵌合させて平行な２個の横仕切が形成されることを特徴とする請求項１記載の苺パック収納用トレー。
【考案の詳細な説明】
【技術分野】
【０００１】
この考案は、４個の苺パックを底面から浮かせて収納する段ボール製のトレーに関するものである。
【背景技術】
【０００２】
苺パックの輸送や保管のため、一枚の段ボールを折り上げて組み立てたトレーが使用され、苺パックを４個収納するものでは、中央に十字状中仕切を挿嵌している。近年は、苺の品質保持のため、苺パックの上端周縁のフランジを支持してトレーの底面から浮かせて収納するようにしたものが使用されている。出願人は、先に、このようなトレーを幾つか開発している（例えば、特許文献１、特許文献２、特許文献３）。
【０００３】
特許文献１および特許文献２のトレーは、横仕切が左右側壁に当接する強固な十字状中仕切りを装着して短縁を支持するとともに、他端側は左右側壁および縦仕切の両端を折り曲げて斜めに形成した支持片で苺パックの隅縁を支持するようにしている。
また、特許文献３のトレーは、苺パックの一方の短縁を、左右側壁片の内壁を形成する片の両端に連設された支持片を前後側壁の内側へ折り曲げて、下端から上端に向かって内側へ漸次傾斜させて立設したものとし、他方の短縁を十字状中仕切の横仕切に支持させるようにしている。
【先行技術文献】
【特許文献】
【０００４】
【特許文献１】特開２００４−２７６９５４号公報
【特許文献２】特開２００５−１１２４１１号公報
【特許文献３】特開２０１５−９３６８９号公報
【考案の開示】
【考案が解決しようとする課題】
【０００５】
特許文献１〜特許文献３の苺パック収納用トレーは、複数の仕切区画毎に苺パックを底面から浮かせて支持する支持部を簡便に形成できる。しかしながら、苺パックのフランジの一端を支持する支持片は、苺パックのフランジの隅縁にのみ係止させているので、重量により苺パックが歪み易く、また、十字状中仕切は、特許文献１，２では、折り畳んだ二重のものとなり、また、横仕切が大きく、トレーのブランクからとることができず、別の段ボールシートを必要とし歩留まりが悪いという問題がある。
【０００６】
そこで、本考案は、一枚の段ボールシートに十字状中仕切を含め、苺パックを安定して支持できる歩留まりの良い苺パック収納用トレーを提供することを目的としている。
【課題を解決するための手段】
【０００７】
上記の目的を解決するため、本考案の苺パック収納用トレーは、次のように構成した。すなわち、十字状中仕切を挿嵌して、４個の苺パックを上端部に形成されているフランジを支持して底面から浮かせて収納できるようにした段ボール製の収納用トレーにおいて、該収納用トレーは、一枚の段ボールに、内壁と外壁の二重壁を形成する二重折り目を設けた左右側壁片と、該内壁と外壁の間隙に挿嵌させる差込片が連設された前後側壁片とが、底面の四辺に対向して連設され、これを折り上げて組み立てられ、該十字状中仕切は、底面から切り起こした平行な２個の横仕切片に縦仕切片を係止したものであり、該苺パックの支持はその一箇所は、該フランジの短縁とし、該左右側壁片の内壁を形成する片の両端に連設された支持片を前後側壁の内側へ折り曲げて、下端から上端に向かって内側へ漸次傾斜させて立設したものとし、他の箇所は、該短縁と対向した短縁と隅縁で、該十字状中仕切の横仕切と、左右側壁の中央に内壁の一部を内側へ切り出して形成した掛架部であり、該掛架部は、苺パックの左右側壁方向の移動を規制する係止部を挟んで２個設け、該係止部は、外壁の頂部から鋭角に傾斜して張り出して形成したことを特徴としている。
【０００８】
ここで、苺パックは、ＰＥＴ樹脂等からなる透明なプラスチック製容器であり、直方体状で上部が開放され、上端部の周縁にフランジが形成されたものを指している。
フランジの長縁、短縁という用語は、この明細書においては、苺パックの長手方向にあるものを長縁、それに直角方向にあるものを短縁といい、四隅にあるものを隅縁というものとする。
また、苺パックは、主として苺を収納することを意味し、葡萄やさくらんぼなどの果物や青果物を収納する場合を含むものとする。
【０００９】
苺パック収納用トレーの左右側壁は、内壁と外壁からなる二重壁とし、前後側壁は、一枚の壁である。
苺パックはフランジの３箇所が支持されてトレーの底面から浮いた状態で収納されるが、その一箇所は、苺パックの短縁であり、前後側壁の内側に立設した支持片で支持する。
支持片は、左右側壁の内壁を形成する片の両端に連設され、下端から上端に向かって内側へ漸次傾斜するように折り曲げて形成する。固定しなくてもよい。望ましくは、支持片の下端が前後側壁の下端線上に当接させて立設するとよい。
なお、支持片の長さは、できるだけフランジとの支持面積を大きくし、支持片同士が重ならないように、例えば、前後側壁の長さの３０〜４５％とするのが望ましい。
【００１０】
苺パックを支持する他の２箇所は、該支持片で支持する短縁と対向する短縁と隅縁で、前者は十字状中仕切の横仕切であり、後者は、左右側壁の中央に形成した掛架部である。
横仕切は、底面から切り起こしたもので、縦仕切からの張り出しは短く、縦仕切から左右側壁への距離の半分程度とする。したがって、苺パックの支持は、短縁の長さの半分程度である。なお、横仕切片は、垂直に設けなくてもよいが、前後の苺パックをそれぞれ支持できるように平行に２個設ける。
【００１１】
横仕切は、上記のように、底面から切り起こしたものではなく、収納用トレーのブランクから切り出したものでもよい。この場合は、請求項２に記載のように、縦仕切片および横仕切片に形成した係止溝を互いに嵌合させて平行な２個の横仕切が形成されるものにすればよい。そして、十字状中仕切がふらつかないように、縦仕切の両端部に、前後側壁片に係止する手段を設けるとよい。
また、左右側壁の掛架部は、苺パックの左右側壁方向の移動を規制する係止部を挟んで２個設け、該係止部は、外壁の頂部から鋭角に傾斜して張り出して形成するとよい。
【考案の効果】
【００１２】
本考案の苺パック収納用トレーは、苺パックを支持するその一箇所は、苺パックのフランジの短縁とし、左右側壁片の内壁を形成する片の両端に連設された支持片を前後側壁の内側へ折り曲げて、下端から上端に向かって内側へ漸次傾斜させて立設したものであり、他の２箇所は、該支持片で支持する短縁と対向する短縁と隅縁で、前者は十字状中仕切の横仕切であり、後者は、左右側壁の中央に形成した掛架部であるので、苺パックをフランジ周縁のある程度の長さを支持でき、安定した支持ができる。
また、十字状中仕切は、縦仕切は一枚板であり、横仕切は底面から切り起こした張り出しの短いものなので、一枚の段ボールシートで作ることができ、極めて経済的である。
【図面の簡単な説明】
【００１３】
【図１】請求項１の考案の苺パック収納用トレーの実施の形態を示す斜視図である。
【図２】同、苺パック収納用トレーの展開図である。
【図３】同、図１に示す掛架部および係止部を示す拡大斜視図である。
【図４】同、十字状中仕切の横仕切を切り起こした状態を示す斜視図である。
【図５】同、縦仕切の斜視図である。
【図６】請求項２の考案の苺パック収納用トレーの実施の形態を示す斜視図である。
【図７】同、苺パック収納用トレーの展開図である。
【図８】同、十字状中仕切りの斜視図である。
【図９】同、苺パック３０の斜視図である。
【考案を実施するための形態】
【００１４】
請求項１の考案の苺パック収納用トレーの実施の形態を、図１〜図５に基づいて説明する。
図１は、苺パック収納用トレー２００の全体を示す斜視図であり、図２は、図１の展開図である。また、図３は苺パックを支持する掛架部および係止部の拡大斜視図である。図４は、十字状中仕切の横仕切を立設した状態を示す斜視図で、図５は縦仕切の斜視図である。
【００１５】
苺パック収納用トレー２００は、図１に示すように、底面１と、その縁部から立設する左右側壁２Ａと、前後側壁３Ａとで直方体の皿状に形成され、上部は開放されている。
そして、中央部には縦仕切２１Ａと横仕切２２Ａからなる十字状中仕切２０が挿嵌され、苺パック３０が縦仕切２１Ａを挟んで前後に２個ずつ４個収納可能に形成されている。
【００１６】
苺パック３０は、ＰＥＴ樹脂等からなる透明のプラスチック製容器であり、図８に示すように、底部３２と上に向かって拡がった周壁３１とからなる略直方体の形状をしており、上端周縁にフランジ３３が形成されている。なお、フランジ３３は、ここでは、長手方向の部分を長縁３３ａ、これと直角方向の部分を短縁３３ｂ、四隅の部分をそれぞれ隅縁３３ｃと称するものとする。
【００１７】
左右側壁２Ａは、二重壁であり底面１から垂直に立設され、前後側壁３Ａは、一枚の壁である。
そして、前後側壁３Ａの内壁面直前には、左右側壁２Ａに連接された支持片２ｃが立設されている。この支持片２ｃの下端は前後側壁３Ａ下端線上に当接し、上端部は前後側壁３Ａから若干内側へ離れた傾斜を持たせて立設されている。また、支持片２ｃの長さは、前後側壁３Ａの３分の１以上あり、高さは、苺パック３０の高さ寸法より高くしてある。なお、支持片２ｃは、左右側壁２Ａ端から若干斜めに折り曲げてあるだけで、固定はしてない。
左右側壁２Ａの上端縁には突片２ｅがそれぞれ２個設けられ、底部の縁部には左右側壁２Ａの内壁片２ａに設けられた係止片２ｄおよび突片２ｅが嵌合する嵌合溝１ａが設けられている。
【００１８】
左右側壁２Ａの内側中央部には苺パック３０を支持する掛架部５と苺パック３０の移動を規制する係止部４が設けられている（図３参照）。
掛架部５は、苺パック３０のフランジの隅縁３３ｃを案内するように、隅縁３３ｃの曲線に近いガイド５ａを有し内壁面から水平に突出している。これは、左右側壁２Ａの内壁片２ａに折り目と切れ目を設けて形成している。
係止部４は、左右側壁２Ａの上端部から鋭角に傾斜して掛架部５に繋がっており、掛架部５を支持するとともに、この左右端が苺パック３０のフランジ３３に当接して移動を規制する。
【００１９】
この苺パック収納用トレー２００は、図２に示す一枚の段ボール１００を、折り目に沿って折り曲げることによって、組み立てられる。
段ボール１００には、ほぼ中央に形成された矩形の底面１と、主折り目Ａを介して連設された一対の左右側壁片２と一対の前後側壁片３とが形成されている。
底面１の左右側壁片２との主折り目Ａ上には、左右側壁片２の係止片２ｄと突片２ｅが挿嵌するための細長に開口した係止孔１ａが設けられている。
【００２０】
左右側壁片２は、主折り目Ａに連設した外壁片２ｂと、これに二重折り目Ｂを介して連設された内壁片２ａと、内壁片２ａの両端に折り目Ｄを介して連設された支持片２ｃとからなる。
折り目Ｄは、主折り目Ａに対して、直角ではなく、広角に形成されている。
内壁片２ａ上端縁には底面１の係止孔１ａに嵌挿する係止片２ｄが設けられ、中央部には、掛架部５と係止部４を形成するための折り目Ｅ、Ｆと切抜部５ｂが設けられている。また、二重折り目Ｂには、突片２ｅを形成するための、折り目Ｇ、Ｈ、Ｊと切れ目Ｋが設けられている。
【００２１】
前後側壁片３は、左右側壁片２に対して直角方向の主折り目Ａに連設して設けられ、その両端には折り目Ｃを介して差込片３ａが連設されている。この差込片３ａの上端側には折り目Ｌが設けられている。なお、外端から折り目Ｌまでの寸法は、二重折り目Ｂの寸法より若干小さ目にしている。
【００２２】
十字状中仕切２０は、その縦仕切２１が段ボール１００の左右側壁片２の外側に付設されており、これの中央には係止溝２１ａが形成され、一方、底面１の中央部には切れ目１ｂが形成され折り目Ｍから切り起こしできる横仕切片２２が２個設けられている。
【００２３】
次に、図２に示した段ボール１００を図１の苺パック収納用トレー２００へ組立てる手順について説明する。
まず、左右側壁片２と底面１の主折り目Ａ、前後側壁片３と底面１の主折り目Ａ、左右側壁片２の二重折り目Ｂ、前後側壁片３の折り目Ｃを紙面手前側へ折り曲げ、また、内壁片２ａの折り目Ｄを紙面裏側へ折り曲げることにより、折り癖を付ける。二重折り目Ｂの折り曲げにより、コ字状の突片２ｅが突出する。
また、差込片３ａ内の折り目Ｌを内側へ折り曲げ、また、掛架部５の折り目Ｅ、Ｆを折り曲げる。
【００２４】
組立ては、左右側壁片２を底面１に対して立ち上げて、差込片３ａを折り曲げる。そして、前後側壁片３を立ち上げ、差込片３ａを左右側壁片２の内側へ折り曲げ、内壁片２ａを二重折り目Ｂから折り曲げて差込片３ａを挟み込んで、係止片２ｄを底面１の係止孔１ａへ挿嵌する。
さらに、支持片２ｃを前後側壁３Ａの内面側に立設する。支持片２ｃは、折りグセにより、その下端は前後側壁３Ａの下端線（底面１と前後側壁片３との境界である主折り目Ａ線上）に当接して、上方へ向かって漸次内側へ傾斜している。また、左右側壁２Ａの組立により自動的に突片２ｅと、掛架部５および係止部４が形成される（図３参照）。
【００２５】
十字状中仕切２０は、底面１の横仕切片２２を折り目Ｍに沿って切り起こし（図４参照）、縦仕切片２１を左右側壁２Ａと平行に中央部に位置させて係止溝２１ａを横仕切片２２の係止溝２２ａに嵌合させることによって横仕切片２２が２個平行に立設した横仕切２２Ａが組立てられる（図１参照）。これにより、苺パック収納用トレー２００の組立が完成する。
【００２６】
組み立てられた苺パック収納用トレー２００は、前後側壁片３の差込片３ａが左右側壁片２の内壁片２ａと外壁片２ｂの間に挿入され、左右側壁片２の係止片２ｄが底面１の係止孔１ａに挿入されて、前後側壁３Ａと左右側壁２Ａが立設状態に保持される。
【００２７】
図１は、１個の苺パック３０を苺パック収納用トレー２００へ収納した状態を示すもので、苺パック３０のフランジ３３の一方の短縁３３ｂを支持片２ｃで支持し、他方の短縁３３ｂを十字状中仕切２０の横仕切２２Ａでその内側寄りを支持し、空いている隅縁３３ｃを左右側壁２Ａの中央部に形成した掛架部５で支持している。
また、掛架部５のガイド５ａは隅縁３３ｃに嵌合して、苺パック３０の移動を規制している。なお、係止部４は、苺パック３０の仕切の役目を有している。
【００２８】
この苺パック収納用トレー２００は、積み重ねて保存することができる。積み重ねは、下段における苺パック収納用トレー２００の左右側壁２Ａの上端縁の突片２ｅに、上段の苺パック収納用トレー２００の底面１の係止孔１ａを嵌合させるだけでよい。
【００２９】
次に、苺パック収納用トレー（請求項２）の実施の形態を、図６および図７に基づいて説明する。
図６は、苺パック収納用トレー２０１の全体を示す斜視図であり、図７はトレーの展開図である。また、図８は、十字状中仕切２５の斜視図である。
苺パック収納用トレー２０１は、上記の苺パック収納用トレー２００と機能的には同じであり、相違点は、苺パック収納用トレー２００では十字状中仕切の横仕切２２Ａを底面１から切り起こして形成したが、苺パック収納用トレー２０１では、横仕切２７Ａは段ボール１０１から取り出すようにしている。なお、構成部品は従来と同じものは同じ符号を付して説明する。
【００３０】
苺パック収納用トレー２０１は、図６に示すように、底面１１と、その縁部から立設する左右側壁２Ａと、前後側壁３Ａとで直方体の皿状に形成され、中央部には縦仕切２６Ａと横仕切２７Ａからなる十字状中仕切２５が挿嵌されている。左右側壁２Ａは、二重壁であり底面１から垂直に立設され、前後側壁３Ａは、一枚の壁である。
【００３１】
前後側壁３Ａの内壁面直前には、左右側壁２Ａに連接された支持片２ｃが、下端は前後側壁３Ａの下端線上に当接し、上端部は前後側壁３Ａから内側へ離れた傾斜を持たせて立設されている。
また、左右側壁２Ａの内側中央部には掛架部５と係止部４が設けられている。
掛架部５は、苺パック３０のフランジの隅縁３３ｃを案内するように、隅縁３３ｃの曲線に近いガイド５ａを有し内壁面から水平に突出している。
係止部４は、左右側壁２Ａの上端部から鋭角に傾斜して掛架部５に繋がっており、掛架部５を支持するとともに、この左右端が苺パック３０のフランジ３３に当接して移動を規制している。
【００３２】
この苺パック収納用トレー２０１は、図７に示す一枚の段ボール１０１を、折り目に沿って折り曲げることによって、組み立てられる。
段ボール１０１には、底面１１と、主折り目Ａを介して連設された一対の左右側壁片２と一対の前後側壁片３とが形成されている。
【００３３】
左右側壁片２は、外壁片２ｂと、二重折り目Ｂを介して連設された内壁片２ａと、内壁片２ａの両端に連設された支持片２ｃとからなり、内壁片２ａの中央部には、掛架部５と係止部４を形成するための折り目Ｅ、Ｆと切抜部５ｂが設けられている。また、前後側壁片３には、その両端に差込片３ａが連設されている。
【００３４】
十字状中仕切２５は、段ボール１０１の一方の左右側壁片２の外側に縦仕切２６と横仕切２７が付設されている。縦仕切２６の中央には係止溝２６ａが形成され、両端部には前後側壁片３の中央部に形成した係止溝３ｂに係合する凸部２６ｂが形成されている。
横仕切２７は、中央部の折り目２７ｂから二つ折りでき、該縦仕切２６の係止溝２６ａに係合する係止溝２７ａが形成されている。
【００３５】
段ボール１０１から、苺パック収納用トレー２０１への組立は、左右側壁片２と前後側壁片３を底面１１に対して立ち上げ、差込片３ａを左右側壁片２の内側へ挟み込んで、係止片２ｄを底面１の係止孔１ａへ挿嵌する。そして、支持片２ｃを前後側壁３Ａの内面側に立設する。また、左右側壁２Ａの組立により自動的に突片２ｅと、掛架部５および係止部４が形成される。
【００３６】
十字状中仕切２５は、横仕切２７を二つ折りにして係止溝２７ａを、縦仕切２６の係止溝２６ａへ係合させてＶ字状に組み付け、これをトレー中央に置いて、縦仕切２６の凸部２６ｂを前後側壁片３の係止溝３ｂに係合させて固定する。これにより、苺パック収納用トレー２０１の組立が完成する。
【符号の説明】
【００３７】
１００  段ボール
１０１  段ボール
２００  苺パック収納用トレー
２０１  苺パック収納用トレー
１  底面
１ａ  係止孔
１ｂ  切れ目
２Ａ  左右側壁
２  左右側壁片
２ａ  内壁片
２ｂ  外壁片
２ｃ  支持片
２ｄ  係止片
２ｅ  突片
２ｆ  抜孔
３Ａ  前後側壁
３  前後側壁片
３ａ  差込片
３ｂ  係止溝
４  係止部
５  掛架部
５ａ  ガイド
５ｂ  切抜部
１１  底面
１１ａ  係止孔
２０  十字状中仕切
２１Ａ  縦仕切
２１  縦仕切片
２１ａ  係合溝
２２Ａ  横仕切
２２  横仕切片
２２ａ  係止溝
２５  十字状中仕切
２６Ａ  縦仕切
２６  縦仕切片
２６ａ  係合部
２６ｂ  凸部
２７Ａ  横仕切
２７  横仕切片
２７ａ  係止溝
２７ｂ  折り目
３０  苺パック
３１  周壁
３２  底部
３３  フランジ
３３ａ  長縁
３３ｂ  短縁
３３ｃ  隅縁
Ａ  主折り目
Ｂ  二重折り目
Ｃ  折り目
Ｄ  折り目
Ｅ  折り目
Ｆ  折り目
Ｇ  折り目
Ｈ  折り目
Ｊ  折り目
Ｋ  切れ目
Ｌ  折り目
Ｍ  折り目
【図１】
0003215851.tif 000003
【図２】
0003215851.tif 000004
【図３】
0003215851.tif 000005
【図４】
0003215851.tif 000006
【図５】
0003215851.tif 000007
【図６】
0003215851.tif 000008
【図７】
0003215851.tif 000009
【図８】
0003215851.tif 000010
【図９】
0003215851.tif 000011